(57)【特許請求の範囲】
【請求項１】
無線通信機能を有する複数の機器との間で複数のリンクを確立して通信するための無線通信手段と、
該複数のリンクの１つが切断されたとき、リンクが切断された当該機器との再接続を試みる再接続手段と、
該切断されたリンク以外のリンクで接続されている機器が使用中であるとき、使用が終了するまで該再接続手段による再接続を抑制する抑制手段とを具備する無線通信接続装置。
【請求項２】
前記使用中の機器のリンクが切断されたとき、優先して前記使用中の機器との再接続を試みることを特徴とする請求項１記載の無線通信接続装置。
【請求項３】
前記複数の機器との接続状態を告知するための告知手段を備えたことを特徴とする請求項１または２記載の無線通信接続装置。
【請求項４】
前記無線通信は近距離無線通信であることを特徴とする請求項１〜３のいずれかに記載の無線通信接続装置。
【発明の詳細な説明】
【技術分野】
【０００１】
本発明は、無線通信機能を有する複数の機器との間で複数のリンクを確立してその中の１つを使用中として選択する無線通信接続装置に関する。
【背景技術】
【０００２】
スピーカ、マイク、タッチスイッチまたはキースイッチ、表示器といったユーザインターフェースを備えた車載オーディオ機器やカーナビゲーション機器などの車載機器にＢｌｕｅｔｏｏｔｈ（商標）などの近距離無線通信機能を付加することで、近距離無線通信機能を有する携帯電話に対してハンズフリー通話を提供することが可能である。さらに、車載機器に付加される近距離無線通信機能がマルチプロファイルに対応可能であれば、近距離無線通信機能が付加されたｉＰｏｄ（登録商標）などのオーディオプレーヤも同時に接続して、このオーディオプレーヤからのデータを受け取って車載オーディオ機器で再生することも可能となる。
【０００３】
この場合に、携帯電話機やオーディオプレーヤなどが所定距離内に存在し、携帯電話機やオーディオプレーヤなどからの電波の電界強度が、所定の電界強度以上になると、相互に同期をとってリンクが確立され、いつでも通信可能な状態となる。この状態で携帯電話機に着信があれば車載機器はハンズフリー装置として機能し、ユーザがオーディオプレーヤを選択すれば車載機器は再生装置として機能することになる。
【０００４】
その後、携帯電話機またはオーディオプレーヤからの電界強度が低下してリンクが切断されると、例えば下記特許文献１に記載されるように、所定周期で所定回数だけ再接続を試みることにより、直前に接続されていた機器との電界強度が回復すれば再度接続することができる。
【０００５】
この場合に、切断されたリンク以外のリンクを介して接続されている機器が使用中（ハンズフリー通話中またはオーディオ再生中など）であると、ＣＰＵが使用中の機器とのデータ通信及び処理を行うとともにリンクが切断された機器との再接続の処理を行うのでＣＰＵの負荷が増大し、音切れやデータロスなどの障害を生じる恐れがある。
【０００６】
【特許文献１】特開２００２−１５２３０９号公報
【特許文献２】特開２００１−２３９８９７号公報
【発明の開示】
【発明が解決しようとする課題】
【０００７】
したがって本発明の目的は、複数のリンクの１つが切断されても使用中の機器の動作に影響を及ぼすことなく再接続処理を行う無線通信接続装置を提供することにある。
【課題を解決するための手段】
【０００８】
本発明によれば、無線通信機能を有する複数の機器との間で複数のリンクを確立して通信するための無線通信手段と、該複数のリンクの１つが切断されたとき、リンクが切断された当該機器との再接続を試みる再接続手段と、該切断されたリンク以外のリンクで接続されている機器が使用中であるとき、使用が終了するまで該再接続手段による再接続を抑制する手段とを具備する無線通信接続装置が提供される。
【発明の効果】
【０００９】
他のリンクで接続されている機器が使用中であるとき、それが終了するまで再接続処理を抑制することにより、ＣＰＵ負荷の増大が回避されそれによる障害が回避される。
【発明を実施するための最良の形態】
【００１０】
図１は本発明の一実施形態に係る無線接続装置の一例としての、マルチプロファイル対応の近距離無線通信機能を有する車載オーディオ装置の構成を示すブロック図である。図１に示した装置は、携帯電話機１０およびオーディオプレーヤ１１との近距離無線通信のためのアンテナモジュール１２を有し近距離無線通信信号のエンコード、デコードおよびリンク確立機能を有するハンズフリーユニット１４と、ハンズフリーユニット１４に通信線１３，１５を介して接続され、マイク１６、スピーカ１８、スイッチ１９、およびディスプレイ２０からなるユーザインターフェースを備えたメインユニット２２から構成される。
【００１１】
ハンズフリーユニット１４は、ＣＰＵ２４の前述のエンコード、デコードおよびリンク確立動作のためのプログラムおよびデータを格納するメモリ２６および入出力インターフェース２８を備える。メインユニット２２はさらに、ＣＰＵ３０の動作のためのプログラムおよびデータを格納するメモリ３２と、シリアルインターフェース３４と、オーディオインターフェース３５と、音声インターフェース３６と、コーデック３８，３９と、セレクタ４０を有する。ハンズフリーユニット１４とメインユニット２２の間の制御信号およびオーディオデータのやり取りはハンズフリーユニット１４の入出力インターフェース２８とメインユニット２２のシリアルインターフェース３４の間の通信線１３を介して行なわれ、音声データのやり取りは入出力インターフェース２８と音声インターフェース３６の間の通信線１５を介して行なわれる。
【００１２】
メインユニット２２は例えばさらにＣＤプレイヤーおよびチューナ（図示せず）などを備えた車載オーディオ機器であり、オーディオ機器としての動作モードに加えて、携帯電話機１０のハンズフリー通話を実現するハンズフリーモードとオーディオプレーヤ１１からのオーディオデータをストリーミング再生するストリーミング再生モードを有している。
【００１３】
ハンズフリーモードにおいては、携帯電話機１０のアンテナにおいて受信された下り音声信号は、アンテナモジュール１２、ハンズフリーユニット１４、メインユニット２２の音声インターフェース３６を経てコーデック３８においてデコードされ、セレクタ４０およびアンプ（図示せず）を経てスピーカ１８を鳴動させる。上り音声については、メインユニット２２のマイク１６を経てコーデック３８において符号化され、音声インターフェース３６、ハンズフリーユニット１４、アンテナモジュール１２を経て携帯電話機１０のアンテナから送信される。メインユニット２２のディスプレイ２０は着信表示などを表示する表示器となり、スイッチ１９は応答（オフフック）などの操作のためのスイッチであり、タッチスイッチやキースイッチ等で構成されたものである。
【００１４】
ストリーミング再生モードにおいては、オーディオプレーヤ１１からのオーディオデータはアンテナモジュール１２、ハンズフリーユニット１４、メインユニット２２のシリアルインターフェース３４、オーディオインターフェース３５を経てコーデック３９においてデコードされ、セレクタ４０およびアンプ（図示せず）を経てスピーカ１８を鳴動させる。
【００１５】
携帯電話機１０及び／又はオーディオプレーヤ１１がハンズフリーユニット１４に近付いてそれらからの電波の電界強度が所定値以上になると、Ｂｌｕｅｔｏｏｔｈ  ＳＩＧ（（Ｓｐｅｃｉａｌ  Ｉｎｔｅｒｅｓｔ  Ｇｒｏｕｐ）による規格の近距離無線通信プロトコルに従い、相互に同期をとることによりリンクが確立される。リンクが確立したことをハンズフリーユニット１４から通知されると、メインユニット２２のＣＰＵ３０はディスプレイ２０の表示画面上に図２に示すように、リンクが確立したプロファイルに対応するアイコンを表示する。
【００１６】
図３は複数の機器とのリンクが確立した後、その１つにリンクロス（リンクの切断）が発生したときに実行されるメインユニット２２のＣＰＵ３０の処理のフローチャートである。リンクロスが発生したことをハンズフリーユニット１４から通知されると、それに対応するアイコンを点滅させて、リンクロスが発生したことをユーザに知らせる（ステップ１０００）。次に、リンクロスが発生したプロファイル以外のプロファイルのリンクの中で実行中のものがあれば（ステップ１００２）、それが終了するのを待ち（ステップ１００４）、逆になければ直ちに、リンクロスが発生したリンクの再接続をハンズフリーユニット１４へ指示する（ステップ１００６）。
【００１７】
ここで使用中とは、それがハンズフリープロファイルであれば、ハンズフリーユニット１４とメインユニット２２とがハンズフリー装置として動作中であり、セレクタ４０がコーデック３８の出力を選択していることを意味し、それがＡＶプロファイルであれば、オーディオプレーヤ１１からのデータのストリーミング再生中であり、セレクタ４０がコーデック３９の出力を選択していることを意味する。すなわち、オーディオプレーヤ１１からのデータの再生中に携帯電話機１０との間でリンクロスが発生したら直ちに再接続処理を開始するのでなく、再生の停止または一時停止となるのを待って再接続処理を行なう。逆に、ハンズフリー通話中にオーディオプレーヤ１１との間でリンクロスが発生したら、直ちに再接続処理を開始するのでなく、通話の終了を待って再接続を開始する。
【００１８】
再接続処理に失敗したら、タイムアウトするまで（ステップ１０１０）予め定められた回数まで再接続を試行し、接続に成功せずにタイムアウトしたらそれに対応するアイコンを画面上から消去する（ステップ１０１２）。接続に成功したら、対応するアイコンを再度点灯させる（ステップ１０１４）。
【００１９】
ここで、メインユニット２２のＣＰＵ３０はメモリ３２上に、各プロファイルごとにこれまでに接続された機器の履歴を、例えばハンズフリープロファイルの場合には図４に示すように、持つ。そして、ステップ１００６の再接続処理にあたっては、最後に接続されていた機器である「携帯１」に対して再接続を要求する。
【００２０】
再接続の回数と周期（試行時間）はスイッチ１９とディスプレイ２０を使って対話的に設定可能にすることが望ましい。尚、無線通信機能を有する機器との接続は、無線接続装置の電源がＯＦＦになるか、或いはユーザから切断の要求がされるまで継続する。
【００２１】
これまで説明したメインユニット２２の処理は、メインユニット２２のメモリ３２に記憶された、ＣＰＵ３０の動作をプログラムしたソフトウェアにより実現することができる。
【図面の簡単な説明】
【００２２】
【図１】本発明の一実施形態に係る無線接続装置の一例としての、マルチプロファイル対応の近距離無線通信機能を有する車載オーディオ装置の構成を示すブロック図である。
【図２】表示されたアイコンを示す図である。
【図３】メインユニット２２の処理のフローチャートである。
【図４】接続履歴を説明する図である。
【図１】
0004578392.tif 000002
【図２】
0004578392.tif 000003
【図３】
0004578392.tif 000004
【図４】
0004578392.tif 000005